(57)【要約】【課題】  記録媒体をディスクケースごと保管及び使用する際の取り扱いが子供や幼児でも操作でき、且つ安価に作れる記録媒体保管用筐体の提供。【解決手段】  筐体一側壁の上縁部にディスクケース７を斜め下向きに挿入可能に開口部１ａを有する挿入部１を設け、筐体側壁の内の一側壁面にディスクケース７を取り出し可能な扉２を扉２の上縁部２ａが挿入部１よりも下方に位置するように設け、且つ扉２の表面から裏面へ貫通する内部視認用の縦方向細長状窓部９を扉２の所望位置に穿設すると共に筐体底板３の端縁部３ａに添設した蝶番４を介して蝶番４の軸心回りに回動開閉自在とし、筐体底板３の上面に重なるように棚板部５を扉２下端部に直交するように固設し、扉上縁部所定部位に把手６を設け、前記扉２を開けたときに前記扉２の回動に従動して前記棚板部５が起き上がるようにし、記録媒体をディスクケース７ごと取り出せる構成とした。【選択図】        図１
0003105159.tif 000002
【実用新案登録請求の範囲】
【請求項１】
記録媒体をディスクケースごと収納保管できる記録媒体保管用筐体であって、筐体一側壁の上縁部に前記ディスクケースを斜め下向きに挿入可能に開口部を有する挿入部を設け、筐体側壁の内の一側壁面にディスクケースを取り出し可能な所定寸法の扉を扉の上縁部が前記挿入部よりも下方に位置するように設け、且つ扉の表面から裏面へ貫通する内部視認用の縦方向細長状窓部を扉の所望位置に穿設すると共に筐体底板の端縁部に添設した蝶番を介して蝶番の軸心回りに回動開閉自在とし、筐体底板の上面に重なるように棚板部を前記扉下端部に直交するように固設し、扉上縁部所定部位に把手を設け、前記扉を開けたときに前記扉の回動に従動して前記棚板部が起き上がるようにし、記録媒体をディスクケースごと押出すようにして取り出し口と成し、記録媒体をディスクケースごと取り出せる構成としたことを特徴とする記録媒体保管用筐体。
【考案の詳細な説明】
【技術分野】
【０００１】
この発明は、ＭＤ、ＣＤやＤＶＤ等の記録媒体を収納保管する記録媒体保管用筐体に関する。
【背景技術】
【０００２】
記録メディヤとして、読取専用のＣＤ−ＲＯＭ、データを一度だけ書き込めるＣＤ−Ｒ、繰り返し書き込めるＣＤ−ＲＷなどの所謂「ＣＤ」や、デジタル・ビデオ用のＤＶＤ−Ｖｉｄｅｏ、音楽用のＤＶＤ−Ａｕｄｉｏ、再生専用のＤＶＤ−ＲＯＭ、追記型のＤＶＤ−Ｒ、書き換え可能なＤＶＤ−ＲＡＭや、更には直径６４ｍｍの音楽用ディスク・システムに用いられるＭＤ（Ｍｉｎｉ  Ｄｉｓｃ）など多種多様であり、これらのディスクの持ち運びや保管に際してのアイデアがいくつか明らかにされている。
【０００３】
例えば、使用後の荷造り処理が極力簡便な構造にして省スペース化を図り、耐久性も高く維持して繰り返し使用に適した搬送箱として、複数枚のＣＤケース収容する提案が開示されている。また、記録媒体用の保管ボックスとして、ボックス本体を開閉するための蓋体にケース表面が外部から視認できる状態で収容する収容部を設けた例が開示されている。
【考案の開示】
【考案が解決しようとする課題】
【０００４】
然しながら、上述の従来例は、１つは運搬するためにのみ考えられたものであり、また２つはケースの表面が視認できるようにしたに過ぎない保管ボックスであり、これら以外に、例えば、取り扱いが簡単でかつ利便性があり、安価に作れる保管ボックスが要望される。
【０００５】
この考案は、上述の点に着目して成されたもので、
記録媒体をディスクケースごと保管する際及び使用する際の取り扱いが子供や幼児にでも出来る程度に簡単な操作で足りると共に安価に作れる記録媒体保管用筐体を提供することを目的とする。
【課題を解決するための手段】
【０００６】
この考案は、下記構成を備えることにより上記課題を解決できるものである。
【０００７】
（１）記録媒体をディスクケースごと収納保管できる記録媒体保管用筐体であって、筐体一面の上縁部に前記ディスクケースを斜め下向きに挿入可能に開口部を有する挿入部を設け、筐体側壁の内の一側壁面にディスクケースを取り出し可能な所定寸法の扉を扉の上縁部が前記挿入部よりも下方に位置するように設け、且つ扉の表面から裏面へ貫通する内部視認用の縦方向細長状窓部を扉の所望位置に穿設すると共に筐体底板の端縁部に添設した蝶番を介して蝶番の軸心回りに回動開閉自在とし、筐体底板の上面に重なるように棚板部を前記扉下端部に直交するように固設し、扉上縁部所定部位に把手を設け、前記扉を開けたときに前記扉の回動に従動して前記棚板部が起き上がるようにして記録媒体をディスクケースごと押出すようにし、記録媒体をディスクケースごと取り出せる構成とした記録媒体保管用筐体。
【考案の効果】
【０００８】
記録媒体をディスクケースごと保管する際及び使用する際の取り扱いが子供や幼児にでも出来る程度に簡単な操作で足りると共に安価に作れる記録媒体保管用筐体を提供することが出来る。
【考案を実施するための最良の形態】
【０００９】
図１は、本考案に係る記録媒体保管用筐体の実施例の説明図、（ａ）は正面図、（ｂ）は側面図、（ｃ）は斜視図、図２は、実施例における構造と機能を示す側面図、図３は、実施例における取り出しの際の扉を開放した状態を示す斜視図である。
【実施例】
【００１０】
コンパクトディスクに格納された、若しくは記録メディヤとしての記録媒体をディスクケース７ごと収納保管できる記録媒体保管用筐体であって、例えば角筒状の筐体であれば、四面の内の一面の上縁部に前記ディスクケース７を斜め下向きに挿入可能に開口部１ａを有する挿入部１を設け、筐体側壁の内の一側壁面にディスクケース７を取り出し可能な所定寸法の扉２を扉２の上縁部２ａが前記挿入部１よりも下方に位置するように設け、且つ扉２の表面から裏面へ貫通する内部視認用の縦方向細長状窓部９（例えば幅１０〜１５ｍｍ程度）を扉の所望位置に穿設すると共に筐体底板３の端縁部３ａに添設した蝶番４を介して蝶番４の軸心回りに回動開閉自在とし、筐体底板３の上面に重なるように棚板部５を前記扉２下端部に直交するように固設し、断面Ｌ字状を呈し、図２に示すように扉２を開ける度合いに応じて、棚板部５は収納時の水平位置から起き上がるように蝶番４側を支点として回動し、開放完了状態では扉２自体が水平となると共に棚板部５が垂直状態を呈し、ディスクケース７がほぼ起立して取り出し易い状態となる。窓部９は細長状の穴のままの開口部としてもよく、また窓の形状は限定せず、内部を視認できるものであれば良い。また窓の場所も扉とは限らず、正面のディスク挿入側の面でも良く、更に開口部を透明な樹脂板等で覆っても良い。
【００１１】
他の符号について、８は筐体の天板である。
【００１２】
本実施例では、主として木質の板材と接着剤を用いて作製した。
【００１３】
上述の構成及び図面を参照して作用を説明する。
【００１４】
挿入部１の開口部１ａから記録媒体の入ったディスクケース７を挿入部１の傾斜に沿って挿入することで、ディスクケース７は棚板部５の上面に平行に載置され、扉２の上縁部２ａより低い所定高さに納まる枚数で収納されて保管される。
【００１５】
取り出す際は、扉２の把手６を例えば指先で摘んで蝶番の軸が回動する方向に引くことで、扉２が開放され同時に棚板部５が起き上って水平の状態で保管されていたディスクケース７が立ち上がるように姿勢を変えて図３に示すように取り易い状態となり、所望の記録媒体の入ったディスクケース７を容易に手にすることが出来る。扉２の閉まった収納保管状態に戻すには上記の逆の操作をすればよい。
【図面の簡単な説明】
【００１６】
【図１】実施例における記録媒体保管用筐体の説明図、（ａ）正面図、（ｂ）側面図、（ｃ）斜視図
【図２】実施例における構造と機能を示す模式的側面図
【図３】実施例における取り出しの際の扉を開放した状態を示す斜視図
【符号の説明】
【００１７】
１  挿入部
１ａ  開口部
２  扉
３  底板
４  蝶番
５  棚板部
６  把手
７  ディスクケース
８  天板
９  窓部
【図１】
0003105159.tif 000003
【図２】
0003105159.tif 000004
【図３】
0003105159.tif 000005